(57)【要約】  偏平足の予防又は治療の目的で足底弓を刺激するための、サンドイッチ構造を有し、靴１の靴底３の内側部分４に対応して延び、対象の歩行サイクル中に相当な弾性変形性を呈するクッション形のエレメント６を備えた子供用の靴１。
2008516721.tif 000002
【特許請求の範囲】
【請求項１】
偏平足を予防又は治療するための足底弓の適切な発達のための刺激靴（１）であって、少なくとも前記靴（１）の靴底（３）の内側部分（４）において延在するクッション・エレメント（６）を備え、前記内側部分（４）が、足の前記足底弓に相当する部分を支持可能に受けるのに適当であり、対象の歩行サイクル中に相当な弾性変形性を有することを特徴とする刺激靴（１）。
【請求項２】
前記クッション・エレメント（６）が、前記靴（１）自体の前記靴底（３）のほぼ全範囲にわたって延在する請求項１に記載の靴（１）。
【請求項３】
前記クッション・エレメント（６）が、実質上サンドイッチ形の構造（７、８、９）をしている請求項１又は２に記載の靴（１）。
【請求項４】
前記クッション・エレメント（６）が、２つの外側の層（７、８）によって形成され、それらのうち少なくとも１つがゴムを含み、中間層（９）が、前記外側層（７、８）の間に挿入される前記請求項に記載の靴（１）。
【請求項５】
前記中間層（９）がゴム配合物を含む前記請求項に記載の靴（１）。
【請求項６】
前記外側層（７、８）を形成する前記ゴム及び／又は前記配合物（９）がパラゴムである請求項４又は５に記載の靴（１）。
【請求項７】
前記中間層（９）がシリコン配合物を含む請求項４から６までのいずれか一項に記載の靴（１）。
【請求項８】
前記中間層（９）がふぞろいな形状の粒子を含む請求項４から７までのいずれか一項に記載の靴（１）。
【請求項９】
前記ゴム粒子の平均的な寸法が約１ｍｍである、請求項５に従属の場合の前記請求項に記載の靴（１）。
【請求項１０】
前記シリコン粒子の平均的な寸法が、約１．５〜２．０ｍｍの範囲に含まれる、請求項７に従属の場合の請求項８又は９に記載の靴（１）。
【請求項１１】
前記クッション・エレメント（６）が着脱可能である請求項１から１０までのいずれか一項に記載の靴（１）。
【請求項１２】
前記クッション・エレメント（６）が約８〜１０ｍｍの範囲に含まれる厚みである請求項１から１１までのいずれか一項に記載の靴（１）。
【請求項１３】
前記靴（１）のつま先革（２）が、前記対象の歩行サイクル中に相当な弾性変形性を有する請求項１から１２までのいずれか一項に記載の靴（１）。
【請求項１４】
前記靴（１）の前記つま先革（２）が革製である請求項１から１３までのいずれか一項に記載の靴（１）。
【請求項１５】
前記靴（１）の靴底（３）に得られ、前記クッション・エレメント（６）を受ける基底部（５）を有する請求項１から１４までのいずれか一項に記載の靴（１）。
【請求項１６】
前記靴（１）の前記靴底（３）が弾性変形可能な材料から作られる請求項１から１５までのいずれか一項に記載の靴（１）。
【請求項１７】
前記靴（１）の前記靴底（３）がゴム製である請求項１から１６までのいずれか一項に記載の靴（１）。
【請求項１８】
子供用の靴である請求項１から１７までのいずれか一項に記載の靴（１）。
【請求項１９】
前記クッション・エレメント（６）が、複数の高さを備える請求項１から１８までのいずれか一項に記載の靴（１）。
【請求項２０】
前記高さが周囲の縫い目によって画定される請求項１から１９までに記載の靴（１）。
【発明の詳細な説明】
【技術分野】
【０００１】
本発明は、偏平足を予防又は治療するための足底弓の適切な発達のための刺激靴に関し、詳細には、子供用の靴に関する。
【背景技術】
【０００２】
当業者には周知のことであるが、産まれたときは皆いわゆる「偏平足」である。歩行を習得するときは、歩行の練習をしながら足底の筋肉の収縮の仕方を学び、それにより一般的に足底自体のアーチ構造がまとまる。軟らかく弾性的な支持が足底の適切な働きを促進し、したがって前記足底弓を適切に形成するので、通常母親は子供を砂の上で歩き始めさせるように勧められる。
【０００３】
それにもかかわらず、この数十年の間、小児の年齢の場合でも常に比較的固くほとんど弾力のない小さい靴の使用が続けられてきた。一方ではこのような堅さが予防的及び治療的な要求を満たす場合には、他方ではそれにより子供にも大人にも偏平足の発生率及び頻度が増大する。
【発明の開示】
【発明が解決しようとする課題】
【０００４】
したがって、本発明によって提起され解決される技術的な課題は、周知の技術分野に関して本明細書に言及された欠点を克服する靴、特に子供用の靴を提供することである。
【課題を解決するための手段】
【０００５】
こうした問題は、請求項１による靴によって解決される。
【０００６】
本発明の好ましい特徴が、その従属請求項に含まれる。
【０００７】
本発明は、いくつかの関連する利点を提供する。主な利点は、歩行中にクッション・エレメントが、足底に刺激作用を行ない、足底弓の適切な発達を促進することである。詳細には、本発明の靴は、正常な筋肉の張力及び正常な足底弓を発達させ、且つ堅く弾力のない地面の上を歩行することから生じる損傷に対抗するように、靴の内側、特に子供用の小さい靴の内側の、足の生理学的なストレスのための適切で理想的な環境を再現できる。
【０００８】
本発明の他の利点、特徴及び採用するモードは、それらに限定されない実施例によって与えられた、本発明のいくつかの実施例の以下の詳細な説明において明らかにされるであろう。添付の図面の図を参照する。
【実施例】
【０００９】
最初に図１を参照すると、本発明の一実施例による靴が１によって全体的に示されている。具体的には、靴１は、子供の最初の歩行用に採用される種類のものである子供用の小さい靴である。
【００１０】
既知の靴と同様に、靴１は、先端つま先革２及び靴底３を備える。本実施例では、つま先革２と靴底３の両方が、子供の歩行サイクル中に弾性変形可能である。具体的には、つま先革２は軟らかい革製で、靴底３はゴム製である。
【００１１】
靴１は、靴底３の上部４において、すなわち靴底３の足底に面する部分において、基底部５を有し、基底部５は、対象の歩行サイクル中に相当な弾性変形性を呈するクッション・エレメント６を受ける。
【００１２】
本実施例では、エレメント６は、基本的には靴底３の全範囲にわたって延在する。様々な実施例では、そうではなく、靴底のうち足の足底弓に相当する部分を支持可能に受けるのに適当な部分に対応してのみ延在するエレメント６を提供することができる。
【００１３】
様々な実施例によれば常に、クッション形のエレメントを、周囲の縫い目によって画定することができ、前記基底部がない場合も同様である。
【００１４】
さらに、足底弓を含むが必ずしもそれに限定されるとは限らない、足底の反射区に配置される、互いに異なるクッション・エレメントを提供することができる。
【００１５】
さらに、クッション・エレメントは、それを使用する対象の特定の要望にしたがって形成することができ、所定の形状及び高さを有することができる。
【００１６】
クッション形のエレメントは、周囲の縫い目によって画定された複数の高さを備えるように作成することもできる。
【００１７】
本実施例では常に、エレメント６は、上層７、下層８及びそれらの間に挿入された中間層９を備えた実質上サンドイッチ形の構造をしている。
【００１８】
好ましくは、上層７及び下層８はパラゴム製である。
【００１９】
中間層９をパラゴム配合物によって且つシリコン配合物によって形成することができる。それらは両方ともふぞろいな形状の粒子を含み、その平均の寸法は各ゴム粒子が約１ｍｍ程度のものであり、各シリコン粒子は約１．５〜２．０ｍｍの範囲に含まれる。
【００２０】
粒子、特にふぞろいな粒子を有する中間層の実施例は、足底の弾性的な刺激を改善する。
【００２１】
好ましくは、クッション・エレメント６の厚さは、約８〜１０ｍｍの範囲に含まれる。
【００２２】
本発明によるクッション・エレメント６は、固定されていても着脱可能でもよい。
【００２３】
歩行サイクル中に、足の負荷を掛ける／負荷を除くサイクルのすぐ後でエレメント６が弾性変形することにより、靴１が足底上に刺激作用を生成することが可能になり、足底弓の適切な発達が可能になり、したがって偏平足が予防又は治療されることがすぐによりよく理解されるであろう。
【００２４】
本実施例では、靴底３及びつま先革４の弾性変形性により、前記刺激と共働する作用が行われる。
【００２５】
本発明を、その好ましい実施例を参照して本明細書に説明してきた。同じ本発明の核心部分に属する本発明の他の実施例が可能であり、それらすべてが添付の特許請求の範囲の保護範囲内に含まれることが理解されよう。
【図面の簡単な説明】
【００２６】
【図１】本発明による靴の一実施例の部分断面図である。
【図２】図１の靴のクッション形のエレメントの長手方向断面図である。
【図１】
2008516721.tif 000003
【図２】
2008516721.tif 000004
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
偏平足を予防又は治療するための足底弓の適切な発達のための刺激靴（１）であって、少なくとも前記靴（１）の靴底（３）の足底に面する内側上部部分（４）において延在するクッション・エレメント（６）を備え、前記内側部分（４）が、足の前記足底弓に相当する部分を支持可能に受けるのに適当であり、対象の歩行サイクル中に相当な弾性変形性を有し、前記クッション・エレメント（６）が、ふぞろいな形状の粒子を含んだ中間層（９）を備えた実質上サンドイッチ形の構造（７、８、９）をしていることを特徴とする刺激靴（１）。
【請求項２】
前記クッション・エレメント（６）が、前記靴（１）自体の前記靴底（３）のほぼ全範囲にわたって延在する請求項１に記載の靴（１）。
【請求項３】
前記クッション・エレメント（６）が、２つの外側の層（７、８）によって形成され、それらのうち少なくとも１つがゴムを含み、中間層（９）が、前記外側層（７、８）の間に挿入される請求項１又は２に記載の靴（１）。
【請求項４】
前記中間層（９）がゴム配合物を含む請求項３に記載の靴（１）。
【請求項５】
前記外側層（７、８）を形成する前記ゴム及び／又は前記配合物（９）がパラゴムである請求項３又は４に記載の靴（１）。
【請求項６】
前記中間層（９）がシリコン配合物を含む請求項１から５までのいずれか一項に記載の靴（１）。
【請求項７】
前記ゴム粒子の平均的な寸法が約１ｍｍである、請求項４に記載の靴（１）。
【請求項８】
前記シリコン粒子の平均的な寸法が、約１．５〜２．０ｍｍの範囲に含まれる、請求項６又は７に記載の靴（１）。
【請求項９】
前記クッション・エレメント（６）が着脱可能である請求項１から８までのいずれか一項に記載の靴（１）。
【請求項１０】
前記クッション・エレメント（６）が約８〜１０ｍｍの範囲に含まれる厚みである請求項１から９までのいずれか一項に記載の靴（１）。
【請求項１１】
前記靴（１）のつま先革（２）が、前記対象の歩行サイクル中に相当な弾性変形性を有する請求項１から１０までのいずれか一項に記載の靴（１）。
【請求項１２】
前記靴（１）の前記つま先革（２）が革製である請求項１から１１までのいずれか一項に記載の靴（１）。
【請求項１３】
前記靴（１）の靴底（３）に得られ、前記クッション・エレメント（６）を受ける基底部（５）を有する請求項１から１２までのいずれか一項に記載の靴（１）。
【請求項１４】
前記靴（１）の前記靴底（３）が弾性変形可能な材料から作られる請求項１から１３までのいずれか一項に記載の靴（１）。
【請求項１５】
前記靴（１）の前記靴底（３）がゴム製である請求項１から１４までのいずれか一項に記載の靴（１）。
【請求項１６】
子供用の靴である請求項１から１５までのいずれか一項に記載の靴（１）。
【請求項１７】
前記クッション・エレメント（６）が、複数の高さを備える請求項１から１６までのいずれか一項に記載の靴（１）。
【請求項１８】
前記高さが周囲の縫い目によって画定される請求項１から１７までに記載の靴（１）。
【国際調査報告】
2008516721.tif 000005
2008516721.tif 000006
2008516721.tif 000007